(57)【要約】【課題】シャフトとレバーとの結合部の小型化を妨げることなくシャフトに対するレバーのスリップトルクを安定確保することができるワイパリンクを得る。【解決手段】ワイパリンク１０は、ワイパアーム１２が固定されるシャフト１４と、シャフト１４が挿入される固定孔３４を有するレバー１６と、を備えている。また、レバー１６における固定孔３４の周縁部には、窪み部３６が形成されている。シャフト１４の一部がかしめられて、当該かしめられた部位がレバー１６に形成された窪み部３６に進入した状態でシャフト１４とレバー１６とが一体化されている。【選択図】図１
2015048049.tif 000002
【特許請求の範囲】
【請求項１】
ワイパアームが固定されるシャフトと、
前記シャフトが挿入される固定孔と、該固定孔の周縁部に形成された窪み部と、を有し、前記シャフトの一部がかしめられて当該かしめられた部位が前記窪み部に進入した状態で前記シャフトと一体化されたレバーと、
を備えたワイパリンク。
【請求項２】
前記シャフトは、前記固定孔の内径よりも大きな外径とされたフランジ部を備えており、
前記レバーが前記かしめられた部位と前記フランジ部との間に挟み込まれている請求項１記載のワイパリンク。
【請求項３】
前記シャフトにおける前記窪み部に対応する部位のみがかしめられている請求項１又は請求項２記載のワイパリンク。
【発明の詳細な説明】
【技術分野】
【０００１】
本発明は、ワイパリンクに関する。
【背景技術】
【０００２】
下記特許文献１には、ワイパアームが取付けられたシャフトと、ワイパモータの動力を上記シャフトに伝達するレバーと、を備えたワイパリンクが開示されている。ワイパモータの動力がレバーを介してシャフトに伝達されると、シャフトが往復回動し、当該シャフトに取付けられたワイパアームが往復回動する。これにより、ワイパアームの先端部に取付けられたワイパブレードが車両のウインドシールドガラスを払拭するようになっている。また、下記特許文献１に記載されたワイパリンクを構成するシャフトとレバーとは、シャフトの端部をレバーに形成された穴に圧入し、次いで、当該シャフトの端部をかしめることによって一体化されている。また、シャフトの端部をかしめると、シャフトのフランジに設けられた突起がレバーに食い込むようになっている。
【先行技術文献】
【特許文献】
【０００３】
【特許文献１】特開昭６０−８８６６３号公報
【発明の概要】
【発明が解決しようとする課題】
【０００４】
しかしながら、上記特許文献１に記載されたワイパリンクは、シャフトの端部をレバーに形成された穴に圧入することに加えて、シャフトのフランジに設けられた突起をレバーに食い込ませることによって、シャフトに対するレバーのスリップトルクを大きくする構造とされている。しかしながら、フランジに設けられた突起のレバー表面への食い込みはレバーをフランジの突起に押し付けて食い込ませるため、十分な食い込み量が得られ難く、しかも食い込み量がバラツキ易いため、安定したスリップトルクが確保し難い。また、スリップトルクを向上させるためには、上記の圧入部やフランジの外径を大径にする必要がある。すなわち、スリップトルクを向上させると、シャフトとレバーとの結合部の小型化が妨げられる。
【０００５】
本発明は上記事実を考慮し、シャフトとレバーとの結合部の小型化を妨げることなくシャフトに対するレバーの安定したスリップトルクを確保することができるワイパリンクを得ることが目的である。
【課題を解決するための手段】
【０００６】
上記課題を解決するワイパリンクは、ワイパアームが固定されるシャフトと、前記シャフトが挿入される固定孔と、該固定孔の周縁部に形成された窪み部と、を有し、前記シャフトの一部がかしめられて当該かしめられた部位が前記窪み部に進入した状態で前記シャフトと一体化されたレバーと、を備えている。
【０００７】
上記構成によれば、シャフトにおけるかしめられた部位を固定孔の周縁部に形成された窪み部に進入させることによって窪み部への進入量（充填量）が安定し、シャフトに対するレバーの安定したスリップトルクを確保することができる。また、窪み部の深さや数、かしめ量などを適宜設定することにより、シャフトとレバーとの結合部の小型化を妨げることなくシャフトに対するレバーの安定したスリップトルクを確保する、又はより向上させることができる。
【０００８】
上記ワイパリンクにおいて、前記シャフトは、前記固定孔の内径よりも大きな外径とされたフランジ部を備えており、前記レバーが前記かしめられた部位と前記フランジ部との間に挟み込まれていることが好ましい。
【０００９】
上記構成によれば、シャフトにおけるかしめられた部位がレバーの周縁部に形成された窪み部に進入することに加えて、シャフトに対するレバーの固定姿勢を安定化させることができる。
【００１０】
上記ワイパリンクにおいて、前記シャフトにおける前記窪み部に対応する部位のみがかしめられていることが好ましい。
【００１１】
上記構成によれば、シャフトの一部をかしめる際の加工力を低減しつつシャフトに対するレバーの上記スリップトルクを安定確保することができる。
【図面の簡単な説明】
【００１２】
【図１】ワイパリンクを示す側面図である。
【図２】図１に示されたワイパリンクの一部を構成するシャフトを示す側面図である。
【図３】図１に示されたワイパリンクの一部を構成するレバーを示す平面図である。
【図４】図３に示された４−４線に沿って切断したレバーの断面を示す側断面図である。
【図５】シャフトとレバーとの結合部を図１に示された矢印Ａ方向から見た拡大平面図である。
【図６】図５に示された６−６線に沿って切断した断面を示す拡大断面図である。
【図７】図５に示された７−７線に沿って切断した断面を示す拡大断面図である。
【図８】変形例に係るシャフトとレバーとの結合部を示す図７に対応する側断面図である。
【図９】他の変形例に係るシャフトとレバーとの結合部を示す図７に対応する側断面図である。
【発明を実施するための形態】
【００１３】
図１〜図７を用いて本発明の実施形態に係るワイパリンクについて説明する。
【００１４】
図１に示されるように、本実施形態のワイパリンク１０は、ワイパアーム１２が固定されるシャフト１４と、図示しないワイパモータの動力をシャフト１４に伝達するレバー１６と、を備えている。
【００１５】
図２に示されるように、シャフト１４は、棒状の鋼材に冷間鍛造加工等が施されることにより一体に形成されており、このシャフト１４は、円柱状に形成された一般部１８と、ワイパアーム１２（図１参照）が固定される固定部２０と、後に詳述するレバー１６に形成された固定孔３４に挿入される挿入部２２と、一般部１８と挿入部２２との境界に設けられたフランジ部２４と、を備えている。
【００１６】
一般部１８は、シャフト１４の軸方向の中間部に設けられており、この一般部１８が図示しないピボットホルダに設けられた含浸ブッシュ等を介して軸支されることによって、シャフト１４がその軸線回りに回動することが可能となっている。
【００１７】
固定部２０は、シャフト１４の軸方向一方側の端部に設けられており、この固定部２０は、シャフト１４の軸方向一方側に向けて窄まると共に外周部にセレーションが形成されたテーパ部２６と、テーパ部２６の先端側に設けられた雄ネジ部２８と、を有して構成されている。ワイパアーム１２（図１参照）に形成された固定穴に固定部２０を挿通し、テーパ部２６に形成されたセレーションに固定穴の内周面を接触させ、次いで雄ネジ部２８に図示しないナットが螺入されることによって、シャフト１４よりは柔らかい金属材料（アルミニウム合金等）で形成されたワイパアーム１２の固定穴の内周面にテーパ部２６のセレーションが喰い込み、ワイパアーム１２が固定部２０に回り止め状態で固定されるようになっている。
【００１８】
挿入部２２は、シャフト１４の軸方向他方側の端部に設けられており、この挿入部２２は、上記一般部１８と略同径の円柱状に形成されている。また、挿入部２２の外径Ｄ１は、後述するレバー１６に形成された固定孔３４の内径Ｄ２（図４参照）よりも僅かに大きな外径に設定されており、さらに挿入部２２のシャフト１４の軸方向への寸法Ｌは、後述するかしめのかしめ量を考慮してレバー１６の板厚Ｔ（図４参照）よりも長く設定されている。
【００１９】
フランジ部２４は、シャフト１４の軸方向を板厚方向とする円板状に形成（シャフト１４の軸線に対し垂直方向に延出形成）されており、このフランジ部２４の外径Ｄ３は、レバー１６に形成された固定孔３４の内径Ｄ２（図４参照）よりも大きな外径とされている。
【００２０】
図３及び図４に示されるように、レバー１６は鋼板材にプレス加工等が施されることによって形成されており、このレバー１６は上記シャフト１４の軸方向を板厚方向とする矩形状に形成されている。また、レバー１６の長手方向の一端部には、ボールジョイントを構成するボールピン３０（図１参照）を固定するための固定孔３２が形成されており、レバー１６の長手方向の他端部には、シャフト１４の挿入部２２が挿入されると共に縁部が円形とされた固定孔３４が形成されている。
【００２１】
レバー１６における固定孔３４の周縁部には、複数の（本実施形態では４つの）窪み部３６が形成されており、この複数の窪み部３６は、固定孔３４に連通しており、固定孔３４の周方向に沿って等間隔に配置されている。また、窪み部３６は、レバー１６の板厚方向から見て略矩形状に形成されており、この窪み部３６のレバー１６の板厚方向への深さＢ、即ち、窪み部３６のレバー１６の端面３８からの深さＢは、固定孔３４の径方向外側に行くに従って次第に浅くなっている。
【００２２】
以上説明したシャフト１４とレバー１６とは、かしめ加工が施されることによって一体化されている。具体的には、図５に示されるように、シャフト１４の挿入部２２がレバー１６に形成された固定孔３４に挿入されて、挿入部２２の端部がかしめられることによってシャフト１４とレバー１６とが一体化されている。
【００２３】
また、本実施形態では、挿入部２２の端部における窪み部３６と対応する部位、即ち、挿入部２２の端部における窪み部３６と近接する部位のみが押圧される冶具を用いて上記のかしめ加工が行われる。これにより、図６及び図７に示されるように、挿入部２２の端部における冶具に押圧された部位が塑性変形して、当該塑性変形した部位４０がレバー１６に形成された窪み部３６に進入して窪み部３６内が満たされる。そしてさらに、塑性変形した部位４０とフランジ部２４との間にレバー１６が挟み込まれる。これにより、シャフト１４とレバー１６とが一体化されている。
【００２４】
（本実施形態の作用並びに効果）
次に、本実施形態の作用並びに効果について説明する。
【００２５】
図１に示されるように、本実施形態のワイパリンク１０によれば、図示しないワイパモータの動力がボールジョイントを構成するボールピン３０を介してレバー１６の一端部に入力されると、当該レバー１６の他端部に固定されたシャフト１４が往復回動し、当該シャフト１４に取付けられたワイパアーム１２が往復回動する。これにより、ワイパアーム１２の先端部に取付けられた図示しないワイパブレードが車両のウインドシールドガラスを払拭する。
【００２６】
ところで、ワイパリンク１０を構成するシャフト１４とレバー１６との結合部には、シャフト１４の挿入部２２をレバー１６の固定孔３４回りにスリップさせようとするトルクが生じる。しかしながら、図５〜図７に示されるように、本実施形態では、シャフト１４におけるかしめられた部位（塑性変形した部位４０）がレバー１６に形成された窪み部３６に進入して充填されている。これにより、所定のトルク以下ではシャフト１４がレバー１６に対して回動（スリップ）しないようになっている、即ち、シャフト１４に対するレバー１６のスリップトルクが確保されている。より詳細には、窪み部３６にはかしめられた部位（塑性変形した部位４０）のうち一部の塑性変形した肉が充填される、言い換えれば、窪み部３６には十分に塑性変形した肉が充填されるので、窪み部３６の形状や大きさに応じた安定したスリップトルクが確保できる。また、窪み部３６の深さや数を適宜設定することにより、シャフト１４とレバー１６との結合部の小型化を妨げることなくシャフト１４に対するレバー１６のスリップトルクを安定確保する、又はより向上させることができる。
【００２７】
また、本実施形態では、上記のかしめ加工により塑性変形した部位４０とフランジ部２４との間にレバー１６が挟み込まれる。また、フランジ部２４はシャフト１４の軸線に対して垂直方向に延出形成されている。これにより、レバー１６はフランジ部２４によりシャフト１４に対する垂直方向の固定姿勢を安定化させることができる。
【００２８】
さらに、本実施形態では、挿入部２２の端部における窪み部３６と対応する部位のみが押圧される冶具を用いて上記のかしめ加工が行われる。そのため、挿入部２２の全体をかしめた場合に比して、かしめ加工時の加工力を低減することができる。
【００２９】
なお、本実施形態では、挿入部２２の端部における窪み部３６と対応する部位のみが押圧される冶具を用いて上記のかしめ加工を行った例について説明してきたが、本発明はこれに限定されるものではない。挿入部２２の端部における窪み部３６と対応する部位のみを押圧してかしめ加工を行うか、或いは、挿入部２２の端部の全体を押圧してかしめ加工を行うかについてはプレス機の最大加工力等を考慮して適宜選択すればよい。
【００３０】
また、本実施形態では、かしめ加工が施されることにより塑性変形した部位４０とフランジ部２４との間にレバー１６が挟み込まれるように構成した例について説明してきたが、本発明はこれに限定されるものではない。例えば、図８に示されるように、シャフト４２における一般部１８と挿入部２２との間に段差部４４を設けることにより、上記のフランジ部２４を設けない構成とすることもできる。
【００３１】
さらに、本実施形態では、シャフト１４の端部（挿入部２２の端部）をかしめることによってシャフト１４とレバー１６とを一体化させた例について説明してきたが、本発明はこれに限定されるものではない。例えば、図９に示されるように、シャフト４６の軸方向他方側の端部にフランジ部２４を設けて、挿入部２２における一般部１８側の端部をかしめることによってシャフト１４とレバー１６とを一体化させた構成とすることもできる。
【００３２】
以上、本発明の一実施形態について説明したが、本発明は、上記に限定されるものでなく、その主旨を逸脱しない範囲内において上記以外にも種々変形して実施することが可能であることは勿論である。
【符号の説明】
【００３３】
１０…ワイパリンク，１２…ワイパアーム，１４…シャフト，１６…レバー，２４…フランジ部，３４…固定孔，３６…窪み部，４２…シャフト，４６…シャフト，Ｄ２…固定孔の内径，Ｄ３…フランジ部の外径
【図１】
2015048049.tif 000003
【図２】
2015048049.tif 000004
【図３】
2015048049.tif 000005
【図４】
2015048049.tif 000006
【図５】
2015048049.tif 000007
【図６】
2015048049.tif 000008
【図７】
2015048049.tif 000009
【図８】
2015048049.tif 000010
【図９】
2015048049.tif 000011